(57)【要約】【課題】ＬＡＮなどの通信手段で接続された再生装置で他の再生装置に保存されている番組情報のソートを行う場合に、ソートの前後で同じ番組にフォーカスを当てようとする場合に、どの番組を表示するかを特定するために通信手段上の通信量が増大し、時間がかかるという課題がある。【解決手段】通信手段４を介して複数の再生装置と接続した状態のときに、他の再生装置でソートを行う場合に、ある番組がソート後にどの順番になるかを問い合わせできるようにすることで、少ない通信量かつ短時間でソートの前後で同じ番組にフォーカスを当てることを可能にする。【選択図】図１
2006074426.tif 000002
【特許請求の範囲】
【請求項１】
情報信号を再生可能な再生装置を通信手段を介して複数接続可能な再生システムであって、前記再生装置に対する操作を受け付ける機器操作手段と、記録メディアを用いて番組を再生する機能を持つ再生手段と、様々な情報処理を行うとともに前記記録媒体に記録された情報のソートを行う演算手段と、通信を行うことで他の再生装置の再生手段内の記録メディアに保存された番組に関する情報を参照することが可能になるネットワーク接続手段とを備え、
前記複数の再生装置が前記通信手段により接続され、接続された再生装置が、前記通信手段に接続された他の再生装置から、情報のソートを行った際に特定の番組が何番目になるかに関する問い合わせを受け、それに対して何番目となるかを返答する機能を持つことを特徴とする再生システム。
【請求項２】
再生装置に対する操作を受け付ける機器操作手段と、記録メディアを用いて番組を再生する機能を持つドライブ手段と、様々な情報処理を行う演算手段と、通信を行うことで他の再生装置のドライブ手段内の記録メディアに保存された番組に関する情報を参照することが可能になるネットワーク接続手段を備えた複数の再生装置および、それら再生装置が通信手段により接続され、接続された再生装置が、通信手段に接続された他の再生装置から、ある番組を特定するための番号を持つ番組が何番目になるかに関する問い合わせを受け、それに対して何番目となるかを返答する機能を持つことを特徴とする再生システム。
【発明の詳細な説明】
【技術分野】
【０００１】
本発明は、ネットワーク接続された複数の再生装置に関するものである。
【背景技術】
【０００２】
ＤＶＤレコーダやハードディスクレコーダなどの再生装置には、再生装置に内蔵されたハードディスクドライブ（ＨＤＤ）や、ＤＶＤドライブなどに保存された番組情報を読み込み、画面に一覧表示する機能が備わっている。しかし、番組数が多くなるにつれ、所望の番組を探すのが困難になるため、番組を「タイトル名」や「開始日時」などの順番に並び替えて表示する、ソート機能を備えることで、ユーザーによる番組検索の容易化を図った再生装置が実現されている。ソートを行う前に番組を選択している状態、すなわちフォーカスが当たっている状態だった場合は、ソート後もソート前と同じ番組を選択している状態とするのが一般的な方法である。
【０００３】
一方、ＬＡＮなどの通信手段でお互いに接続されている再生装置において、他の再生装置の番組情報を表示するような場合は、特許文献１に書かれているような方法で番組情報のやり取りを行う。複数の再生装置のうち、再生しようとする番組や番組情報が記録されており、他の再生装置に情報を送信する側の再生装置をサーバー機器、番組や番組情報を受け取る側の再生装置をクライアント機器と呼ぶとき、クライアント機器でサーバー機器の番組情報を一覧表示するとき、サーバー機器からクライアント機器に番組情報を送信するが、全部の番組の情報を送信すると時間がかかるため、画面に一覧表示する分のみあるいは画面に表示する分とその前後の数番組のみを送信する方法がとられる場合がある。
【０００４】
クライアント機器を操作してサーバー機器の番組の情報をソートする時、サーバー機器でソートを行う方法とクライアント機器でソートを行う方法が考えられる。
【０００５】
サーバー機器でソートを行う方法をとる場合、前述したようにソート前後で同じ番組にフォーカスを当てるためには、ソート後に、フォーカスを当てるべき番組が何番目に位置するかを知っておく必要がある。クライアント側でソート後の全番組情報を取得するなどすればフォーカスを当てるべき番組が何番目かはわかるが、通信手段上の通信量が増え、時間がかかるという課題があった。
【０００６】
また、サーバー機器に保存されている番組が、それぞれその番組を特定するための番号を持ち、クライアント機器でリモコンの１０キーなどでこの番号を入力した場合に、その番号を持つ番組と、その番組の前後の順番の番組の情報を一覧表示するような場合は、例えばソートを実行した後などで番号が順番に並んでいない場合でも、その番号を持つ番組が何番目に位置するかを知っておく必要があり、同様にクライアント側で全番組情報を取得するなどすれば表示すべき番組が何番目かはわかるが、通信手段上の通信量が増え、時間がかかるという課題があった。
【特許文献１】特開２００２−３０４３３３号公報
【発明の開示】
【発明が解決しようとする課題】
【０００７】
解決しようとする問題点は、通信手段で接続された再生装置で他の再生装置に保存されている番組情報のソートを行う場合に、ソートの前後で同じ番組にフォーカスを当てようとする場合に、どの番組を表示するかを特定するために通信手段上の通信量が増大し、時間がかかるという点と、他の再生装置に保存されている番組がそれぞれ番組を特定するための情報を持ち、再生装置でこの番号を入力したときにその番組を含む番組一覧を表示しようとする場合に、どの番組を表示するかを特定するために通信手段上の通信量が増大し、時間がかかるという点である。
【課題を解決するための手段】
【０００８】
上記課題を解決するために本発明では、情報信号を再生可能な再生装置を通信手段を介して複数接続可能な再生システムであって、前記再生装置に対する操作を受け付ける機器操作手段と、記録メディアを用いて番組を再生する機能を持つ再生手段と、様々な情報処理を行うとともに前記記録媒体に記録された情報のソートを行う演算手段と、通信を行うことで他の再生装置の再生手段内の記録メディアに保存された番組に関する情報を参照することが可能になるネットワーク接続手段とを備え、前記複数の再生装置が前記通信手段により接続され、接続された再生装置が、前記通信手段に接続された他の再生装置から、情報のソートを行った際に特定の番組が何番目になるかに関する問い合わせを受け、それに対して何番目となるかを返答する機能を持つことを特徴とする。
【発明の効果】
【０００９】
本発明により、LANなどの通信手段で接続された再生装置で番組情報のソートを行う場合で、サーバー機器でソート処理を行う場合に、ソートの前後で同じ番組にフォーカスを当てようとする場合や、再生装置に保存された各番組が番組を特定する番号を持つ場合に、ソートなどによりこの番号が順不同に並んでいる場合でも、番号入力操作によって入力された番号を持つ番組を含む番組の一覧表示処理を、少ない通信かつ短時間で実現可能であるという利点がある。
【発明を実施するための最良の形態】
【００１０】
本発明の請求項１の発明は、情報信号を再生可能な再生装置を通信手段を介して複数接続可能な再生システムであって、前記再生装置に対する操作を受け付ける機器操作手段と、記録メディアを用いて番組を再生する機能を持つ再生手段と、様々な情報処理を行うとともに前記記録媒体に記録された情報のソートを行う演算手段と、通信を行うことで他の再生装置の再生手段内の記録メディアに保存された番組に関する情報を参照することが可能になるネットワーク接続手段とを備え、前記複数の再生装置が前記通信手段により接続され、接続された再生装置が、前記通信手段に接続された他の再生装置から、情報のソートを行った際に特定の番組が何番目になるかに関する問い合わせを受け、それに対して何番目となるかを返答する機能を持つことを特徴とする。
【００１１】
これにより、ＬＡＮなどの通信手段に接続された再生装置で番組情報のソートを行う場合で、サーバー機器でソート処理を行う場合に、ソートの前後で同じ番組にフォーカスを当てようとする場合でも、少ない通信で実現が可能である。
【００１２】
本発明の請求項２の発明は、再生装置に対する操作を受け付ける機器操作手段と、記録メディアを用いて番組を再生する機能を持つドライブ手段と、様々な情報処理を行う演算手段と、通信を行うことで他の再生装置のドライブ手段内の記録メディアに保存された番組に関する情報を参照することが可能になるネットワーク接続手段を備えた複数の再生装置および、それら再生装置が通信手段により接続され、接続された再生装置が、通信手段に接続された他の再生装置から、ある番組を特定するための番号を持つ番組が何番目になるかに関する問い合わせを受け、それに対して何番目となるかを返答する機能を持つことを特徴とする。
【００１３】
これにより、ＬＡＮなどの通信手段で接続された再生装置で、他の再生装置に保存された各番組が番組を特定する番号を持つ場合に、ソートなどによりこの番号が順不同に並んでいる場合でも、番号入力操作によって入力された番号を持つ番組を含む番組の一覧表示処理を、少ない通信で実現可能である。
【００１４】
以下、本発明を図面と共に詳細に説明する。
【００１５】
（実施の形態１）
図１は本発明の実施の形態１における再生システムを表すブロック図である。図１において、１〜３は再生装置、４は通信手段を表す。また、１１、２１、３１はドライブ手段、１２、２２、３２はネットワーク接続手段、１３、２３、３３は機器操作手段、１４、２４、３４は演算手段を表す。
【００１６】
図１は再生装置が３台の場合の例であるが、再生装置は２台以上であれば何台でも良い。
【００１７】
通信手段４は、各再生装置のドライブ手段内の記録メディアに記録された番組に関する情報をやり取りすることが可能な手段で、イーサネット（登録商標）や無線ＬＡＮなどが例として挙げられる。通信手段は途中にルーターやハブなどを経由する構成でも良い。
【００１８】
再生手段であるドライブ手段１１、２１、３１は、ハードディスク、ＤＶＤ−ＲＡＭなどの記録型ディスク、メモリカードなど記録メディアからの情報の読み取りが可能な装置で、番組情報の取得や番組の再生等を行うことが可能である。なお、ドライブ手段の例としては上記のものに限定されるものではなく、記録媒体に情報の記録が可能なものであればよい。
【００１９】
ネットワーク接続手段１２、２２、３２は、他の再生装置との通信を行うための手段で、イーサネット（登録商標）の端子などが具体的な例として挙げられる。なお、本実施の形態では通信手段４としてイーサネット（登録商標）を用いているのでイーサネット（登録商標）端子としているが、通信手段に応じた端子であることは言うまでもない。
【００２０】
機器操作手段１３、２３、３３は、使用者によってそれぞれの再生装置の各種操作が可能なものである。例えば、各再生装置に付属しているリモコンや、各再生装置に搭載されている本体ボタンなどを表す。
【００２１】
演算手段１４、２４、３４は、各再生装置内においてドライブ手段やネットワーク接続手段や機器装置手段などと通信を行いながら、情報を処理する機能を持つ。また、記録媒体に記録された情報の処理を行ったり、並べ替え（ソート）を行ったりする。なお、図１においては説明の便宜上、各再生装置内における各ブロックを接続する接続線を省略しているが、実際には各々のブロックが接続され、情報や信号のやりとりを行っている。
【００２２】
以上のように構成された本実施の形態１における再生装置の動作について、以下図を用いて再生装置１及び２を接続した際の動作を一例として説明する。
【００２３】
図２において、再生装置１はクライアント機器、再生装置２はサーバー機器として動作することとする。
【００２４】
Ｓ１１でユーザーは、再生装置１に接続されたテレビジョン受像機（図示せず）などの画面に表示されているサーバー機器内の番組一覧に対して、リモコンなどのボタンにより、ソート（並べ替え）の操作を行う。
【００２５】
Ｓ１２では、再生装置１から再生装置２へ、フォーカス（番組一覧においてカーソルを合わせている状態）中の番組がソート後に何番目の順番になるかを知るため、番組を特定するための情報、ソートの種類（「タイトル名」「日時」「ソートなし」など）などの情報を送信し、問い合わせる。
【００２６】
Ｓ１３では、再生装置２で、再生装置１から指定されたソートの種類で番組のソートを行った場合に、指定された番組が何番目の順番になるかを計算する。
【００２７】
Ｓ１４では、Ｓ１３で計算した結果の何番目かの順番の情報を、再生装置２から再生装置１へ返答する。
【００２８】
Ｓ１５では、Ｓ１４で返ってきた順番の情報に基づき、画面にどの範囲の番組の情報を表示させるかを計算する。
【００２９】
Ｓ１６では、表示したい範囲の番組情報と、ソート種別の情報を送信し、ソートされた番組情報リストを要求する。表示したい範囲の番組情報とは、何番目から何番目という形式の要求でもよいし、何番目から何番組分という形式、あるいは、単に何番目の番組情報という形式で要求してもよい。
【００３０】
Ｓ１７では、Ｓ１６で指定された情報に基づき、指定されたソート種別でソートされた場合の、指定範囲の番組情報のリストを作成する。
【００３１】
Ｓ１８では、Ｓ１７で作成した番組情報のリストを、再生装置２から再生装置１へ返答する。
【００３２】
Ｓ１９では、Ｓ１８で取得した情報に基づき、画面に番組の情報を表示する。
【００３３】
なお、Ｓ１６からＳ１８あるいはＳ１９の処理は、一度に行わずに何度かに分けて行ってもよい。
【００３４】
このような流れにより、ＬＡＮなどの通信手段で接続された再生装置で番組情報のソートを行う場合で、サーバー機器でソート処理を行う場合に、ソートの前後で同じ番組にフォーカスを当てようとする場合でも、少ない通信かつ短時間で実現することが出来る。
【００３５】
（実施の形態２）
図１は本発明の実施の形態２における再生システムを表すブロック図である。図１の内容は既に説明しているため、ここでの説明は省略する。
【００３６】
次に、本発明の実施の形態２における再生装置１および再生装置２の動作について図を用いて説明する。
【００３７】
図３において、再生装置１はクライアント機器、再生装置２はサーバー機器として動作することとする。
【００３８】
Ｓ２１でユーザーは、再生装置１に接続されたテレビなどの画面に表示されているサーバー機器内の番組一覧に対して、リモコンなどのボタンにより、番号入力の操作を行う。この入力操作は、例えば０から９までの数字ボタン（１０キー）などにより行う。
【００３９】
Ｓ２２では、再生装置１から再生装置２へ、番号入力された番号を持つ番組が何番目の順番になるかを知るため、番組の番号の情報、現在のソートの種類（「タイトル名」「日時」「ソートなし」など）などの情報を送信し、問い合わせる。
【００４０】
Ｓ２３では、再生装置２で、再生装置１から指定されたソートの種類で番組のソートを行った場合に、指定された番号の番組が何番目の順番になるかを計算する。
【００４１】
Ｓ２４では、Ｓ２３で計算した結果の何番目かの順番の情報を、再生装置２から再生装置１へ返答する。
【００４２】
Ｓ２５では、Ｓ２４で返ってきた順番の情報に基づき、画面にどの範囲の番組の情報を表示させるかを計算する。
【００４３】
Ｓ２６では、表示したい範囲の番組情報と、ソート種別の情報を送信し、番組情報リストを要求する。表示したい範囲の番組情報とは、何番目から何番目という形式の要求でもよいし、何番目から何番組分という形式、あるいは、単に何番目の番組情報という形式で要求してもよい。
【００４４】
Ｓ２７では、Ｓ２６で指定された情報に基づき、指定されたソート種別でソートされた場合の、指定範囲の番組情報のリストを作成する。
【００４５】
Ｓ２８では、Ｓ２７で作成した番組情報のリストを、再生装置２から再生装置１へ返答する。
【００４６】
Ｓ２９では、Ｓ２８で取得した情報に基づき、画面に番組の情報を表示する。
【００４７】
なお、Ｓ２６からＳ２８あるいはＳ２９の処理は、一度に行わずに何度かに分けて行ってもよい。
【００４８】
このような流れにより、他の再生装置に保存された各番組が番組を特定する番号を持つ場合に、ソートなどによりこの番号が順不同に並んでいる場合でも、番号入力操作によって入力された番号を持つ番組を含む番組の一覧表示処理を、少ない通信かつ短時間で実現することができる。
【産業上の利用可能性】
【００４９】
本発明にかかる再生システムは、再生装置に対する操作を受け付ける機器操作手段と、記録メディアを用いて番組を再生する機能を持つドライブ手段と、様々な情報処理を行う演算手段と、通信を行うことで他の再生装置のドライブ手段内の記録メディアに保存された番組に関する情報を参照することが可能になるネットワーク接続手段を備えた複数の再生装置および、それら再生装置が通信手段により接続され、接続された再生装置が、通信手段に接続された他の再生装置から、番組のソートを行った際に特定の番組が何番目になるかに関する問い合わせを受け、それに対して何番目となるかを返答する機能を持つことにより、LANなどの通信手段で接続された再生装置で番組情報のソートを行う場合で、サーバー機器でソート処理を行う場合に、ソートの前後で同じ番組にフォーカスを当てようとする場合や、再生装置に保存された各番組が番組を特定する番号を持つ場合に、ソートなどによりこの番号が順不同に並んでいる場合でも、番号入力操作によって入力された番号を持つ番組を含む番組の一覧表示処理を、少ない通信かつ短時間で実現する利点が必要な用途にも適用できる。
【図面の簡単な説明】
【００５０】
【図１】本発明の実施の形態１および実施の形態２における再生システムの実施方法を示したブロック図
【図２】本発明の実施の形態１における再生装置１および再生装置２の動作を示す説明図
【図３】本発明の実施の形態２における再生装置１および再生装置２の動作を示す説明図
【符号の説明】
【００５１】
１、２、３    再生装置
４    通信手段
１１、２１、３１    ドライブ手段
１２、２２、３２    ネットワーク接続手段
１３、２３、３３    機器操作手段
１４、２４、３４    演算手段
【図１】
2006074426.tif 000003
【図２】
2006074426.tif 000004
【図３】
2006074426.tif 000005